(57)【要約】      （修正有）【課題】あお向けになって横たわった状態で、身体の適当な箇所が載るように床に敷いて凝りを解消してリラックスすることが出来るボディ枕を提供する。【解決手段】ボディ枕１，２は細長い棒状を成したものであり、布製の閉じた袋に無数の細かいビーズなどの内材を充填して構成している。湾曲部３の両側には直線部４，４が下方（脚方向）へ延び、仰向けに横たわった状態で寝る場合に、首の付け根部及び肩甲骨は湾曲部３に載り、直線部４，４は背中の両側、及び腰の両側、尻の両側、さらに大腿部の外側に位置して、これらの部位を押圧する。【選択図】図１
2020039834.tif 000002
【特許請求の範囲】
【請求項１】
あお向けになって横たわった状態で、身体の適当な箇所が載るように床に敷いて凝りを解消することが出来るボディ枕において、
該ボディ枕は長手方向に延びる細長い棒状を成したものであり、布製の閉じた袋に細かい無数のビーズや綿などの内材を充填して構成したことを特徴とするボディ枕。
【請求項２】
上記袋の一部を開口してビーズなどの内材の出し入れを行う為のファスナー又は粘着テープを設けた請求項１記載のボディ枕。
【請求項３】
棒状の断面を円形とした請求項１、又は請求項２記載のボディ枕。
【発明の詳細な説明】
【技術分野】
【０００１】
本発明は仰向けに横たわった状態で寝る場合に、肩から背中の両脇、及び尻、さらに大腿部にかけて押圧・支持することが出来るボディ枕に関するものである。
【背景技術】
【０００２】
毎日の仕事で首が凝り、肩が凝り、また尻も凝り、さらには大腿部や足裏も凝る。その為に首や肩、そして尻、さらには足裏を時々マッサージしたり指圧することで凝りを解消することが必要となる。
身体をマッサージしたり指圧するために、近年では各種のマッサージ機が市販され、多くの家庭で利用されている。
【０００３】
特開２０１５−１３９６１２号に係る「マッサージ機」は、使用者の姿勢の影響によりマッサージ感が低下することを抑制している。
そこで、背もたれに配置され、高さ方向に移動し得る施療ブロック、施療ブロックにより駆動される揉み玉、座に配置された座エアバッグ、及び、背もたれに配置された腰エアバッグを備えている。また、施療ブロック、座エアバッグ、及び、腰エアバッグを制御する制御部を備え、制御部は、座エアバッグが膨張した状態、及び、腰エアバッグが膨張した状態を保持し、その時にマッサージの対象部位である臀部、肩、及び、首の少なくとも１箇所を揉み玉にてマッサージする。
【０００４】
特開２０１３−１０３００４号に係る「マッサージ機」は、使用者の施療部（首部、肩部、腰部、下肢部等）に対して、マッサージを行うことのできるもので、特に、足を多様な揉み感をもってして良好にマッサージする。
そこで、該マッサージ機は、床に載置可能とされた本体部に、使用者の足を両側から挟み込むようにマッサージする第１マッサージエリアと、使用者の足を片側から押すようにマッサージする第２マッサージエリアとが設けられている。
【０００５】
特開平１１−２８２３４号に係る「マッサージ機」は、首、肩及び腰などの関節を外部から力を加えることにより円運動をさせて、各関節に付随する筋肉を伸縮させることにより、筋肉の内部の血行を改善して、筋肉から老廃物を取り除くことが出来るようにしていて、ベッドの頭、肩、腰及び足の部分に円運動をするクッションなどを設けている。
【０００６】
このように、今日色々なマッサージ機が知られ、また、市販もされている。しかし、椅子式のマッサージ機は販売価格が高く、またサイズが大きくて家庭に設置すると大きなスペースが占領されてしまう。
近年の住宅は部屋数も少なくて比較的小さく、このような小さい住宅に大きなマッサージ機を設置するには問題があり、特に時が経って使う頻度が少なくなると、設置してあるマッサージ機が邪魔になってしまう。
【特許文献１】特開２０１５−１３９６１２号に係る「マッサージ機」
【特許文献２】特開２０１３−１０３００４号に係る「マッサージ機」
【特許文献３】特開平１１−２８２３４号に係る「マッサージ機」
【発明の開示】
【発明が解決しようとする課題】
【０００７】
このように、各種マッサージ機は知られているが、上記のごとき問題がある。本発明が解決しようとする課題は、従来のようなマッサージ機ではなく、あお向けになって横たわって載ることで、身体の首から肩、背中側部、腰、尻、それに大腿部にかけての領域を押圧して凝りを解消し、リラックスすることが出来るボディ枕を提供する。
【課題を解決するための手段】
【０００８】
本発明に係るボディ枕は、床に敷き、その上にあお向けに成って横たわることで肩甲骨周り、背中、及び尻周りの筋肉をほぐすと共に、骨盤の開きを抑制することが出来るようにしたものである。
ところで、該ボディ枕は所定の断面を有して長手方向に延びる細長い棒状を成し、しかし剛体ではなく自由に湾曲することが出来るようにしている。一般的には円形断面の細長い棒状体であって、閉じた袋に細かい無数のビーズなどの粒子や綿が充填されている。
【０００９】
袋は比較的丈夫な布地で構成され、この袋内にビーズなどの内材が隙間なく充填されて所定の断面形状と成っている。ここで、充填される内材はビーズなどの粒子や綿であるが特に限定はしない。また、ボディ枕の長さは限定せず、肩甲骨から背中にわたっての領域に当たる比較的短いタイプ、又は首から肩甲骨、背中、腰、尻、さらには大腿部の領域まで延びる長いタイプのものもある。そして、断面形状は一般的に円形とするが、多角形断面でも可能である。
一方、ボディ枕の固さを調整する為に、すなわち、ビーズなどの内材を後で追加補充したり、抜き取ったりすることが出来るように、袋の一部にファスナーなどを設けて開口可能としている。
【発明の効果】
【００１０】
本発明に係るボディ枕は細長い棒状であり、袋に細かい無数のビーズなどの内材が充填されている。そこで、該ボディ枕は概略Ｕ字状に湾曲して床面に敷き（配置し）、この上に横たわった身体を載せる。
すなわち、湾曲部に首部を置き、該湾曲部の両側に平行して延びる直線部には肩甲骨、背中の側部、腰の側部、尻の側部、及び大腿部が載る。
【００１１】
本発明のボディ枕は概略Ｕ字状に湾曲し、その上に身体を載せることで、身体は押圧されて凝りが解消されてリラックス効果が得られる。ビーズなどの内材が充填されているボディ枕は、身体の形状に応じて窪み変形し、ビーズなどの内材から作用する押圧力にてリラックス感覚が得られる。ただし、概略Ｕ字状はあくまでも１形態に過ぎず、好みに応じて色々な形状に湾曲して配置することが出来る。
そして、本発明のボディ枕は従来のマッサージ機に比較して、コストは安く、また不使用時には丸めて片付けることが出来、特に狭い住宅には適している。
【図面の簡単な説明】
【００１２】
【図１】本発明に係るボディ枕であり、（ａ）は長さが短いボディ枕、（ｂ）は長さの長いボディ枕。
【図２】ボディ枕の一部断面図。
【図３】ボディ枕を敷いてあお向け状態で横に成っている状態。
【図４】ボディ枕の断面形状の具体例。
【発明を実施するための形態】
【００１３】
図１は本発明に係るボディ枕を示す実施例であり、（ａ）は長さの短いボディ枕１、（ｂ）は長さの長いボディ枕２を表している。その形状は概略Ｕ字状を成しており、湾曲部３からその両側に直線部４，４が平行に延びている。
このボディ枕１，２は細長い布製の袋に細かいビーズを充填したものであり、その為に形状は同図に示す概略Ｕ字状ではなく、他の色々な形状に曲げることが出来る。すなわち、凝りが激しい部位に当たるようにその形状を適当に変えることが可能である。
【００１４】
図２は上記ボディ枕１，２の部分断面図を表しているが、袋５にはビーズ６，６・・・が充填されている。したがって、外から力が働くならば、その部分は窪み変形し、充填されているビーズ６，６・・・は他へ流れ移動することが出来る。ただし、エアーや液体を充填した枕とは違い、ビーズ６，６・・・が移動するには、各ビーズ６，６・・・間の摩擦によって抵抗が生じ、この摩擦抵抗に基づく力が反力となって、身体の各部に押圧力として作用する。
ところで、上記ビーズ６，６・・・は袋５に充填される内材の一例であり、他の粒子や小片、又は綿を充填する場合もある。また複数種類の内材を充填して収容することも可能である。
【００１５】
図３は、本発明のボディ枕の使用態様を示している具体例である。頭部７に枕８をして、あお向け状態で横たわっているが、頭部側の湾曲部３は首の付け根部から肩甲骨にわたって配置され、その為に首の付け根部及び肩甲骨は湾曲部３に載る。したがって、この部分の凝りは解消され、肩の凝りも楽になってリラックする。
ここで、湾曲部３が配置される場所は限定されるものではなく、湾曲部３の中央を頭部側へ移動して首部に配置することも出来、また、湾曲部３の両側部を下方へ移動して肩甲骨の内側に配置してもよい。
すなわち、本発明のボディ枕は、自由に湾曲してその形状を変えることが出来る為に、凝りの激しい箇所に配置することが可能である。
【００１６】
そして、湾曲部３の両側には直線部４，４が下方（脚方向）へ延び、この直線部４，４は背中の両側、及び腰の両側、尻の両側、さらに大腿部の外側に位置して、これらの部位を押圧している。
したがって、直線部４，４によって押圧される部位の凝りは解消されてリラックスすることが出来る。
【００１７】
勿論、直線部４，４の位置は、背中の両側、腰の両側、尻の両側を押圧するように配置する場合に限らず、凝りの大きな箇所に適当に移動することが出来る。
前記図１（ａ）の短いボディ枕１は首部及び肩甲骨から尻部までの領域を押圧する場合に使用され、一方、図１（ｂ）の長いボディ枕２は首部及び肩甲骨から脚の大腿部までの領域を押圧する場合に使われる。
【００１８】
そして、図１のボディ枕はその断面を円形としているが、三角形断面、四角形断面とすることも可能であり、断面形状は限定しない。ところで、該ボディ枕には細かいビーズなどが無数に充填されているが、ボディ枕の固さを調整する為に、充填されるビーズなどの内材の量は好みに応じて適当に増減できるようにしている。
そこで、袋の一部が開口することが出来るように、ファスナーを取付けている。また、粘着テープ（マジックテープ）を設けることもある。
ファスナーにて開口し、開口からビーズなどの内材を入れて増やしたり、逆に抜き取ることも可能である。
【００１９】
図４はボディ枕１，２の断面図を示す具体例である。（ａ）は円形断面、（ｂ）は四角形断面、（ｃ）は三角形断面、（ｄ）は楕円形断面を表し、このように所定の断面をして長手方向に延び、袋５の内部には細かいビーズ６，６・・・などの内材が詰まっている。
【符号の説明】
【００２０】
１   ボディ枕
２   ボディ枕
３   湾曲部
４   直線部
５   袋
６   ビーズ
７   頭部
８   枕
【図１】
2020039834.tif 000003
【図２】
2020039834.tif 000004
【図３】
2020039834.tif 000005
【図４】
2020039834.tif 000006